(57)【要約】【課題】バス車両を乗客が乗降し易い停車位置に停車させることが可能となると共に、車道の舗装の支障がないバス停留所用縁石ブロックを提供すること。【解決手段】ブロック体４の立壁部５の車道３側面に、垂直に対して歩道２側へ２５〜３５°傾斜した傾斜壁面部６が設けられ、このブロック体４の前記傾斜壁面部６の下部に、バス車両７のタイヤ８が乗り上げて走行可能な走行用張出部９が設けられ、この走行用張出部９の上面に、タイヤ８に振動を付与する振動付与突起10がバス車両７走行方向に沿って多数並設状態に設けられ、この振動付与突起10は、上面の車道３側が車道３の上面と面一で歩道２側ほど徐々に高さを増す傾斜上面11に形成されている。【選択図】図４
2018197456.tif 000002
【特許請求の範囲】
【請求項１】
バス停留所近傍の歩道と車道の境界位置に設置固定されるバス停留所用縁石ブロックであって、ブロック体の立壁部の車道側面に、垂直に対して歩道側へ２５〜３５°傾斜した傾斜壁面部が設けられ、このブロック体の前記傾斜壁面部の下部に、バス車両のタイヤが乗り上げて走行可能な走行用張出部が設けられ、この走行用張出部の上面に、タイヤに振動を付与する振動付与突起がバス車両走行方向に沿って多数並設状態に設けられ、この振動付与突起の上面は、車道側から歩道側に至るにつれて徐々に高さを増す傾斜上面に形成されていることを特徴とするバス停留所用縁石ブロック。
【請求項２】
前記振動付与突起は、上面が水平に対して歩道側へ１０〜１２°傾斜した前記傾斜上面に形成されていることを特徴とする請求項１記載のバス停留所用縁石ブロック。
【請求項３】
前記ブロック体の上壁部が、バス車両乗降用のステップ部として構成されていると共に、このステップ部は、前記走行用張出部にタイヤを乗り上げたバス車両の乗降口床面と同一高さ若しくは乗降口床面に近い高さを有するように構成されていることを特徴とする請求項１，２のいずれか１項に記載のバス停留所用縁石ブロック。
【請求項４】
前記ステップ部に、滑り止め用突起が多数散在状態に設けられていることを特徴とする請求項３記載のバス停留所用縁石ブロック。
【請求項５】
前記ブロック体の前記傾斜壁面部の上部に、バス車両の下部若しくはバス車両の外側へせり出して開口する乗降口開閉ドアを避けるための凹部が設けられていることを特徴とする請求項１〜４のいずれか１項に記載のバス停留所用縁石ブロック。
【発明の詳細な説明】
【技術分野】
【０００１】
本発明は、バス停留所近傍の歩道と車道の境界位置に設置固定されるバス停留所用縁石ブロックに関するものである。
【背景技術】
【０００２】
バスの停留所では、乗客の乗降容易性を確保するために、バス車両をできるだけ歩道側に寄せて停車したい。
【０００３】
しかしながら、バス車両を歩道に寄せすぎると、歩道と車道の境界に設置された縁石ブロックの立壁部の車道側面にタイヤのサイドウォールが接触して傷つくことがあり、場合によってはこの傷が原因でパンクしてしまうこともある。
【０００４】
このようなタイヤの傷つきを防止するため、欧州では、縁石ブロックの立壁部の車道側面を、歩道側に向かって傾斜する傾斜面に形成して、バス車両が歩道側に寄せてもタイヤのサイドウォールが立壁部に接触しづらくタイヤが傷つきにくくなるようにしたバス停留所用の縁石ブロックが提案されている（特許文献１参照）。
【先行技術文献】
【特許文献】
【０００５】
【特許文献１】欧州特許出願公開第５４４２０２号公報
【発明の概要】
【発明が解決しようとする課題】
【０００６】
本発明は、この特許文献１のようなバス停留所用の縁石ブロックの改良に係るもので、特許文献１と同様にタイヤが傷つきにくく、また、タイヤが乗上げ可能な走行用張出部に振動を付与する突起を備えて運転者に適正な停車位置を報知でき、加えて振動付与突起付きの走行用張出部が車道の舗装の支障とならない実用性に優れたバス停留所用縁石ブロックを提供するものである。
【課題を解決するための手段】
【０００７】
添付図面を参照して本発明の要旨を説明する。
【０００８】
バス停留所１近傍の歩道２と車道３の境界位置に設置固定されるバス停留所用縁石ブロックであって、ブロック体４の立壁部５の車道３側面に、垂直に対して歩道２側へ２５〜３５°傾斜した傾斜壁面部６が設けられ、このブロック体４の前記傾斜壁面部６の下部に、バス車両７のタイヤ８が乗り上げて走行可能な走行用張出部９が設けられ、この走行用張出部９の上面に、タイヤ８に振動を付与する振動付与突起10がバス車両７走行方向に沿って多数並設状態に設けられ、この振動付与突起10の上面は、車道３側から歩道２側に至るにつれて徐々に高さを増す傾斜上面11に形成されていることを特徴とするバス停留所用縁石ブロックに係るものである。
【０００９】
また、前記振動付与突起10は、上面が水平に対して歩道２側へ１０〜１２°傾斜した前記傾斜上面11に形成されていることを特徴とする請求項１記載のバス停留所用縁石ブロックに係るものである。
【００１０】
また、前記ブロック体４の上壁部12が、バス車両７乗降用のステップ部12として構成されていると共に、このステップ部12は、前記走行用張出部９にタイヤ８を乗り上げたバス車両７の乗降口床面13と同一高さ若しくは乗降口床面13に近い高さを有するように構成されていることを特徴とする請求項１，２のいずれか１項に記載のバス停留所用縁石ブロックに係るものである。
【００１１】
また、前記ステップ部12に、滑り止め用突起14が多数散在状態に設けられていることを特徴とする請求項３記載のバス停留所用縁石ブロックに係るものである。
【００１２】
また、前記ブロック体４の前記傾斜壁面部６の上部に、バス車両７の下部若しくはバス車両７の外側へせり出して開口する乗降口開閉ドア16を避けるための凹部15が設けられていることを特徴とする請求項１〜４のいずれか１項に記載のバス停留所用縁石ブロックに係るものである。
【発明の効果】
【００１３】
本発明は上述のように構成したから、バス車両を歩道側へ寄せすぎてもタイヤが傷つきにくく、また、バス車両のタイヤが走行用張出部に乗り上げると、振動付与突起により振動と音が発生してタイヤが歩道側に寄るほど振動と音が大きくなるので、この振動と音の変化によりバス車両を乗客が乗降し易いバス停留所の適正な停車位置に停車させることが容易に可能となり、しかも、振動付与突起の傾斜上面は、車道側が最も低くなるように形成されているため、歩道側へ寄せすぎたバス車両を車道側へ戻すハンドル操作が容易に行われてバス車両を適正な停車位置に寄せるための微調整操作が容易に可能となる上、車道舗装時にこの傾斜上面の車道側端部にロードローラーが乗り上げても、振動付与突起が車道形成の支障とならず、この傾斜上面の車道側端部と略面一に均されてきれいに舗装されることとなるなど、極めて実用性に優れたバス停留所用縁石ブロックとなる。
【００１４】
また、請求項２記載の発明においては、前記作用・効果を確実に発揮できる傾斜上面を備えた振動付与突起を、簡易構成にして容易に設計実現可能となる一層実用性に優れた構成のバス停留所用縁石ブロックとなる。
【００１５】
また、請求項３記載の発明においては、乗客がステップ部を利用してバス車両の乗降口より乗降し易い一層実用性に優れた構成のバス停留所用縁石ブロックとなる。
【００１６】
また、請求項４記載の発明においては、降雨や積雪などによりステップ部が濡れていても、滑り止め用突起によりステップ部が滑りにくい安全性に優れたバス停留所用縁石ブロックとなる。
【００１７】
また、請求項５記載の発明においては、バス車両の下部がブロック体に接触して傷つくことや、小型のバス車両などに採用されている開口時にバス車両の外側にせり出す乗降口開閉ドアがブロック体に接触して傷ついたり開閉不良を生じたりすることを回避できる一層実用性に優れた構成のバス停留所用縁石ブロックとなる。
【図面の簡単な説明】
【００１８】
【図１】実施例１を示す斜視図である。
【図２】実施例１の要部を示す部分拡大側面図である。
【図３】実施例１の振動付与突起を示す部分拡大説明図である。
【図４】実施例１の使用状態を示す説明側断面図である。
【図５】実施例１の使用状態において、バス車両の乗降口開閉ドアが開口した様子を示す説明側断面図である。
【図６】実施例１のステップ部を示す部分拡大説明斜視図である。
【図７】実施例２の要部を示す部分拡大側面図である。
【発明を実施するための形態】
【００１９】
好適と考える本発明の実施形態を、図面に基づいて本発明の作用を示して簡単に説明する。
【００２０】
本発明のバス停留所用縁石ブロックを、バス停留所１近傍の歩道２と車道３の境界位置に設定固定する。
【００２１】
このバス停留所１に、バス車両７が歩道２側（ブロック体４の立壁部５の車道３側面）に寄せて停車するが、この際、バス車両７のタイヤ８がブロック体４の走行用張出部９に乗り上げると、バス車両７の走行方向に沿ってこの走行用張出部９の上面に多数並設状態に設けられている振動付与突起10によりタイヤ８に振動が付与され、この振動と振動に伴って発生する音をバス車両７の運転者が感知することができる。
【００２２】
即ち、この振動と音により、タイヤ８が走行用張出部９に乗り上げてバス車両７がブロック体４の立壁部５の車道３側面に近づいていることが、バス車両７の運転者に報知される。
【００２３】
また、振動付与突起10は、その上面が車道３側から歩道２側に至るほど徐々に高さを増す傾斜上面11に形成されていることにより、バス車両７のタイヤ８がブロック体４の立壁部５の車道３側面に近付くほど、タイヤ８に付与される振動とその発生音が大きくなる。
【００２４】
従って、バス車両７の運転者は、この振動と音の変化を感知することにより、ブロック体４の立壁部５の車道３側面との距離を意識しつつバス車両７を十分に歩道２側へと寄せて、バス停留所１の適正な（乗客がバス車両７に乗降し易い）停車位置に停車させることが可能となる。
【００２５】
また、この際、バス車両７を歩道２側へ寄せすぎても、ブロック体４の立壁部５の車道３側面に設けられている傾斜壁面部６が垂直に対して歩道２側へ２５〜３５°傾斜していることで、タイヤ８のサイドウォールがこの傾斜壁面部６には接触しにくく、傷つきにくい。
【００２６】
また、バス車両７が歩道２側へ寄りすぎた場合には、バス車両７をハンドル操作により車道３側へ戻すことになるが、この際、振動付与突起10の傾斜上面11上にあるタイヤ８を、傾斜上面11の傾斜下方側（車道３側）に向けることが容易に行われるので、バス車両７を適正な位置に寄せるための微調整操作を行い易い。
【００２７】
また、本発明のバス停留所用縁石ブロックには、車道３と隣接する走行用張出部９上に振動付与突起10が多数並設状態に設けられているが、この多数の振動付与突起10は、車道３側が最も低くなる傾斜上面11に形成されていることにより、車道３形成時にこの傾斜上面11の車道３側端部にロードローラーが乗り上げたとしても、転圧される車道３の端部上面は、並設する多数の振動付与突起10に倣った凸凹形状とはならず、この傾斜上面11の車道３側端部と略面一に均されてきれいに舗装されることとなる。
【実施例１】
【００２８】
本発明の具体的な実施例１について図１〜図６に基づいて説明する。
【００２９】
本実施例は、バス停留所１近傍の歩道２と車道３の境界位置に設置固定されるバス停留所用の縁石ブロックに係るもので、具体的には、図１に示すようなバス車両７の走行方向に沿った長さを有する平面視長方形状の横長ブロック体４であって、長さ方向と直交する断面形状が略Ｌ字形状のコンクリート製ブロック体４に構成（一体成形）されている。以下、本実施例では、このブロック体４の長さ方向を前後方向と定めて説明する。
【００３０】
また、ブロック体４は、その立壁部５の前後壁面と歩道２側壁面とが、垂直壁面に形成され、立壁部５の車道３側壁面には、垂直に対して歩道２側へ傾斜する傾斜壁面部６が設けられている。
【００３１】
また、このブロック体４の傾斜壁面部６は、立壁部５の車道３側面の全域に設けられており、図２に示すように、歩道２側への傾斜角度αが、垂直に対して２５〜３５°に設定されている。更に具体的には、この傾斜壁面部６は、垂直に対して歩道２側に２７°傾斜した傾斜面に形成されている。
【００３２】
また、この傾斜壁面部６は、前記走行用張出部９の車道３側端部の上面に対して、１３０ｍｍ程度の高さを有すると共に、下端から上端までが５５ｍｍ程度の奥行幅（左右方向幅）を有するように構成されている。
【００３３】
本実施例のブロック体４は、上記したように断面略Ｌ字状であって、前記傾斜壁面部６の下部に車道３側（図面右側）へ張出す部位を有しており、この張出部位が、車道３を走行するバス車両７のタイヤ８が乗り上げて走行可能な走行用張出部９として構成されている。即ち、本実施例のブロック体４は、傾斜壁面部６の下部に走行用張出部９が一体的に設けられている。
【００３４】
具体的には、走行用張出部９は、厚みのある板状であって、前記傾斜壁面部６の下部から車道３側へ１００〜１２０ｍｍ程度（好ましくは１１０ｍｍ程度）張出す形状に成形されている。
【００３５】
また、この走行用張出部９は、ブロック体４の高さ寸法の２／５程度（１５０ｍｍ程度）の厚み（高さ）を有する形状に構成されている。
【００３６】
また、本実施例では、この走行用張出部９の上面に、この走行用張出部９に乗り上げたバス車両７のタイヤ８に振動を付与する振動付与突起10が、バス車両７走行方向に沿って多数並設状態に設けられている（図１参照）。
【００３７】
具体的には、振動付与突起10は、図３に示すように、バス車両７走行方向（ブロック体４の前後方向）の幅Ｌ１が５０〜６５ｍｍ程度、バス車両７走行方向と直交する方向（ブロック体４の左右方向）の幅Ｌ２が９０ｍｍ程度の平面視長方形状の突起に形成されており、この振動付与突起10が、１００〜１４０ｍｍ程度の並設間隔Ｓを置いて走行用張出部９の上面に多数並設する形状に、前記ブロック体４が一体成形されている。
【００３８】
また、この振動付与突起10の並設間隔Ｓは、タイヤ８の外径が小さめな小型バス車両７の運行区間に採用されるものは１００〜１１０ｍｍ程度、タイヤ８の外径が大きめな大型バス車両７の運行区間に採用されるものは１３０〜１４０ｍｍ程度に設定されることが好ましく、このように構成することにより、タイヤ８に良好な振動が付与されることが出願人の試験により確認されている。
【００３９】
また、この振動付与突起10は、その上面が、車道３側から歩道２側に至るにつれて徐々に高さを増す傾斜上面11に形成されていると共に、この傾斜上面11の水平に対する傾斜角度βは、１０〜１２°に設定されている。
【００４０】
更に詳しくは、この振動付与突起10の上面は、水平に対して歩道２側へ１１°程度傾斜した前記傾斜上面11に形成されており、歩道２側の端部上面の高さＨが、車道３側の端部上面より８〜１８ｍｍ程度高くなるように構成されている。
【００４１】
従って、振動付与突起10は、バス車両７のタイヤ８がブロック体４の立壁部５の車道３側面に近付くほどタイヤ８に付与される振動とその発生音が大きくなるように構成されており、バス車両７の運転者は、この振動と音の変化を感知することにより、ブロック体４の立壁部５の車道３側面との距離を意識しつつバス車両７を十分に歩道２側へと寄せて、バス停留所１の適正な（乗客がバス車両７に乗降し易い）停車位置に停車させることが可能となるように構成されている。
【００４２】
また、この走行用張出部９の上面と前記傾斜壁面部６とは、Ｒ４０程度の凹湾曲面を介して連設されており、この連設湾曲面にタイヤ８が乗り上げても、そのサイドウォールが直ちに傾斜壁面部９に接触しないように設計されている（図４，図５参照）。
【００４３】
また、本実施例は、前記ブロック体４の上壁部12が、バス車両７乗降用のステップ部12として構成されていると共に、前記ステップ部12には、このステップ部12が雨などでぬれていても乗客が滑らないようにするための滑り止め用突起14が多数散在状態に設けられ（一体成形され）ている。
【００４４】
この滑り止め用突起14は、図６に示すような円錐台形状に形成されていると共に、大径底部の中心に対して小径上部の中心が車道３側へ偏心した変形の円錐台形状に形成され、この偏心した上面を有することによって、この滑り止め用突起14は、バス車両７の乗降口から降車する乗客がステップ部12に脚を載せた際に最も高い滑り止め摩擦力を発揮するように構成されている。
【００４５】
更に詳しくは、この滑り止め用突起14は、高さが２ｍｍ程度、底部の直径が８ｍｍ程度、上部の直径が２ｍｍ程度であって、上部中心が底部中心に対して車道３側に２ｍｍ程度偏心した円錐台形状に形成されており、隣接する滑り止め用突起14との間に３０ｍｍ程度の間隔を有するようにして多数散在状態に設けられている。
【００４６】
また、このステップ部12は、車道３側に向かって緩やかに傾斜（２％勾配）する傾斜面に形成されていると共に、前記傾斜壁面部６側辺を除いた他の三辺には、額縁状に漏止凸条17が一体成形されていて、このステップ部12上の水が車道２（傾斜壁面部６）側へと排水され易くなるように構成されている。
【００４７】
また、本実施例では、ブロック体４が施工現場に設置された際に、前記ステップ部12が車道３から２００ｍｍ程度高い位置に配設されるようにブロック体４の形状を設定して、このステップ部12が、前記走行用張出部９にタイヤ８を乗り上げたバス車両７の乗降口床面13に近い高さとなるように構成されている（図４，図５参照）。
【００４８】
また、本実施例では、前記ブロック体４の前記傾斜壁面部６の上部に、バス車両７の下部若しくはバス車両７の外側へせり出して開口する乗降口開閉ドア16を避けるための凹部15が設けられている。
【００４９】
具体的には、前記傾斜壁面部６の上部を、略直角に凹んだ段差形状に形成（一体成形）して、この凹み段差部分を前記凹部15としている。
【００５０】
また、この凹部15は、傾斜壁面部６の上部から連設する横面部18が歩道２側へ５５ｍｍ程度凹んだ奥行幅（左右幅）を有し、この横面部18と前記ステップ部12との間に存する縦面部19が横面部18から７０ｍｍ程度の高さを有するように構成されている。
【００５１】
従って、この凹部15により、バス車両７の側壁の下部がブロック体４に接触して傷つくことを回避でき、また、図５に示したような、小型のバス車両７などに採用されている開口時にバス車両７の外側にせり出す乗降口開閉ドア16が、ブロック体４に接触して傷ついたり開閉不良を生じたりすることも回避可能に構成されている。
【００５２】
また、この凹部15の横面部18は、水平に対して車道３側に緩く下り傾斜する（２％勾配程度）傾斜面に形成され、縦面部19は、垂直に対して歩道２側へ６°程度傾斜する傾斜面に形成されており、さらにこの凹部15の横面部18と前記傾斜壁面部６の上部との連設部はＲ２０程度の凸湾曲面に形成され、横面部18と縦面部19との連設部はＲ１０程度の凹湾曲面に形成され、縦面部19と前記ステップ部12との連設部はＲ１０程度の凸湾曲面に形成されていて、ステップ部12上から車道２側へと流れた水が、この横面部18と縦面部19とを介して前記傾斜壁面部６へと排水され易くなるように構成されている（図２参照）。
【実施例２】
【００５３】
本発明の具体的な実施例２について図７に基づいて説明する。
【００５４】
本実施例は、前記実施例１において、前記ブロック体４が前記凹部15を有しないように構成されている場合である。
【００５５】
また、本実施例の傾斜壁面部６は、実施例１のそれより傾斜角度が緩い傾斜面に形成されている場合を示している。具体的には、本実施例の傾斜壁面部６は、垂直に対する歩道２側への傾斜角度αが３２°に設定されている。
【００５６】
他の構成は、前記実施例１と同様である。
【００５７】
尚、本発明は、実施例１，２に限られるものではなく、各構成要件の具体的構成は適宜設計し得るものである。
【符号の説明】
【００５８】
１  バス停留所
２  歩道
３  車道
４  ブロック体
５  立壁部
６  傾斜壁面部
７  バス車両
８  タイヤ
９  走行用張出部
10  振動付与突起
11  傾斜上面
12  上壁部・ステップ部
13  乗降口床面
14  滑り止め用突起
15  凹部
16  乗降口開閉ドア
【図１】
2018197456.tif 000003
【図２】
2018197456.tif 000004
【図３】
2018197456.tif 000005
【図４】
2018197456.tif 000006
【図５】
2018197456.tif 000007
【図６】
2018197456.tif 000008
【図７】
2018197456.tif 000009